【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
利用者がゲームをする為のコンピューティングデバイスであって：
プロセッサ、メモリ、少なくとも１つの識別情報受入機、少なくとも１つの生体センサ及び少なくとも１つのネットワークコネクタを有し、人である利用者と対話する場所に設置できるように設計された、コンピューティングデバイスを備え；
前記識別情報受入機は、政府発行の身元確認書類を受け取って、前記身元確認書類から識別情報をスキャンして、ネットワーク経由で伝送する為のデジタル形式に変換するように設計され；
前記生体センサは、人である利用者を示す生体データを取得して通信ネットワーク経由で伝送する為のデジタル形式に変換するよう設計及び適合され；
１つ又は複数の入出力装置は、人である利用者からの登録／ログイン情報及びゲームコマンドを受け取って、人である利用者に対話型ゲームをする為の情報を提示するように設計され；
前記１つ又は複数のマイクロプロセッサは：
前記１つ又は複数の入出力装置を使用して、人である利用者に対して、身元確認書類を前記識別情報受入機に挿入するようにとの指示等の指示を提示し；
前記識別情報受入機から前記利用者の識別情報のデジタル形式を取得し；
前記生体センサから前記利用者の生体特徴を示す生体データを取得し；
少なくとも一部はデジタル形式の前記利用者の前記識別情報及び前記生体データに基づいて、前記利用者の身元及びゲームに対する前記利用者の適合性を照合し；
前記照合に基づいて、照合済みの前記利用者にゲーム活動を提供する
ようにプログラムされる、コンピューティングデバイス。
【請求項２】
前記コンピューティングデバイスのハウジング内に設置され、ゲームをする為に貨幣の受け取り及び支払いを行うよう設計された、貨幣受入支払機を更に備え、
前記１つ又は複数のマイクロプロセッサは更に：
賭博用口座に入金する為に前記貨幣受入機で貨幣を受取り；
前記貨幣支払機で賭博用口座からゲーム賞金を払い出す
ようにプログラムされる、請求項１に記載のコンピューティングデバイス。
【請求項３】
ゲーム活動に参加する為の法的資格を認証する為に、生体である利用者の識別情報を合法的な識別情報と照合し；
２つ以上の異なるゲームオペレータの１つ又は複数のオフサイトコンピュータでホストされている賭博活動用に開設された賭博用口座に入金する為に、資金受入機で資金を受け取る
よう、更にプログラムされ、
前記ゲームオペレータは、前記コンピューティングデバイスのオペレータとは異なる合法的エンティティである、請求項１に記載のコンピューティングデバイス。
【請求項４】
前記生体センサはカメラであり、
前記生体データは、前記カメラで撮影された前記利用者の顔のデジタル画像である、請求項１に記載のコンピューティングデバイス。
【請求項５】
前記生体センサは署名パッドであり、
前記生体データは前記利用者の署名のデジタル表現である、請求項１に記載のコンピューティングデバイス。
【請求項６】
前記１つ又は複数のマイクロプロセッサは、前記利用者の身元を、少なくとも一部は前記利用者の金融口座に関する情報に基づいて照合するよう、更にプログラムされる、請求項１に記載のコンピューティングデバイス。
【請求項７】
前記１つ又は複数のマイクロプロセッサは、前記利用者の身元を、少なくとも一部は前記生体データをオフサイト検証局に伝送することによって照合するよう、更にプログラムされる、請求項１に記載のコンピューティングデバイス。
【請求項８】
利用者がゲームをする為のコンピューティングデバイスであって：
人である利用者と対話する場所に設置できるよう相互接続された、プロセッサ、入出力装置及び資金受入機を備え；
１つ又は複数の前記入出力装置は、人である利用者からの登録／ログイン情報及びゲームコマンドを受け取って、前記人である利用者に対話型ゲームをする為の情報を提示するように設計され；
前記資金受入機は、ゲームをする為の資金を受け取るように設計され；
前記１つ又は複数のマイクロプロセッサは：
前記１つ又は複数の入出力装置を使用して、人である利用者に対して、前記利用者の身元を登録及び照合するようにとの指示等の指示を提示し；
オフサイトコンピュータで管理されている賭博用口座に入金する為に前記資金受入機で資金を受け取り；
照合及び貨幣の受け取りに基づいて、前記賭博用口座から照合済みの前記利用者にゲーム活動を提供し；
貨幣支払機で前記賭博用口座からゲーム賞金を払い出す
ようにプログラムされる、コンピューティングデバイス。
【請求項９】
身元確認書類を受け取って、前記身元確認書類から識別情報をスキャンして、ネットワーク経由で伝送する為のデジタル形式に変換するように設計された、識別情報受入機；
利用者を示す生体データを前記コンピューティングデバイスにおいて取得して通信ネットワーク経由で伝送する為のデジタル形式に変換するよう適合された、生体センサ
を更に備え、
前記１つ又は複数のマイクロプロセッサは更に：
前記１つ又は複数の入出力装置を使用して、人である利用者に対して、身元確認書類を前記識別情報受入機に挿入するようにとの指示等の指示を提示し；
前記識別情報受入機から前記人である利用者の識別情報のデジタル形式を取得し；
生体データから人である利用者の生体特徴を示す生体データを取得し；
少なくとも一部はデジタル形式の前記利用者の前記識別情報及び前記生体データに基づいて、前記利用者の身元及びゲームに対する前記利用者の適合性を照合し、前記照合に基づいて、照合済み利用者にゲーム活動を提供する
ようにプログラムされる、請求項８に記載のコンピューティングデバイス。
【請求項１０】
ゲーム活動に参加する為の法的資格を認証する為に、生体である利用者の識別情報を合法的な識別情報と照合し；
２つ以上の異なるゲームオペレータの１つ又は複数のオフサイトコンピュータでホストされている賭博活動用に開設された賭博用口座に入金する為に、資金受入機で資金を受け取る
よう、更にプログラムされ、
前記ゲームオペレータは、前記コンピューティングデバイスのオペレータとは異なる合法的エンティティである、請求項８に記載のコンピューティングデバイス。
【手続補正２】
【補正対象書類名】明細書
【補正対象項目名】００９３
【補正方法】変更
【補正の内容】
【００９３】
読者が理解しやすいように、上述の説明は、全ての可能な実施形態の代表例であって、本発明の原理を教示し、本発明を実行する為の最良の形態を示した実例に焦点を当てたものである。本出願及び関連する出願履歴を通して、用語「本発明」が使用される場合には、本発明は記載されているアイデア及び原理の全てを指すが、一方で、独占的に保護される所有権の形式的な定義は、排他的にコントロールする請求項に記載されている。本明細書は、全ての可能な変形形態を排他的に列挙するものではない。記載されていない変形形態又は変更形態も可能である。複数の代替形態が記載される場合、多くの場合、様々な実施形態の要素を組み合わせることが可能である、又は本明細書に記載されている実施形態の要素と明確に記載されていない他の変更形態若しくは変形形態と組み合わせることが可能である。アイテムの列挙は、他に特に規定がなければ、相互排他的なアイテムのいずれか又は全てを意味するのではなく、またいずれのカテゴリの包括的なアイテムのいずれか又は全てを意味するのでもない。多くの場合、１つの特徴又は一群の特徴は、記載されている全ての装置又は方法とは別々に使用されてよい。記載されていない変形形態、変更形態、及び変形形態の多くは、以下の請求項の範囲内にあるものとし、他の形態も均等であるものとする。
〔付記１〕
利用者がゲームをする為のコンピューティングデバイスであって：
プロセッサ、メモリ、少なくとも１つの識別情報受入機、少なくとも１つの生体センサ及び少なくとも１つのネットワークコネクタを有し、人である利用者と対話する場所に設置できるように設計された、コンピューティングデバイスを備え；
前記識別情報受入機は、政府発行の身元確認書類を受け取って、前記身元確認書類から識別情報をスキャンして、ネットワーク経由で伝送する為のデジタル形式に変換するように設計され；
前記生体センサは、人である利用者を示す生体データを取得して通信ネットワーク経由で伝送する為のデジタル形式に変換するよう設計及び適合され；
１つ又は複数の入出力装置は、人である利用者からの登録／ログイン情報及びゲームコマンドを受け取って、人である利用者に対話型ゲームをする為の情報を提示するように設計され；
前記１つ又は複数のマイクロプロセッサは：
前記１つ又は複数の入出力装置を使用して、人である利用者に対して、身元確認書類を前記識別情報受入機に挿入するようにとの指示等の指示を提示し；
前記識別情報受入機から前記利用者の識別情報のデジタル形式を取得し；
前記生体センサから前記利用者の生体特徴を示す生体データを取得し；
少なくとも一部はデジタル形式の前記利用者の前記識別情報及び前記生体データに基づいて、前記利用者の身元及びゲームに対する前記利用者の適合性を照合し；
前記照合に基づいて、照合済みの前記利用者にゲーム活動を提供する
ようにプログラムされる、コンピューティングデバイス。
〔付記２〕
前記コンピューティングデバイスのハウジング内に設置され、ゲームをする為に貨幣の受け取り及び支払いを行うよう設計された、貨幣受入支払機を更に備え、
前記１つ又は複数のマイクロプロセッサは更に：
賭博用口座に入金する為に前記貨幣受入機で貨幣を受取り；
前記貨幣支払機で賭博用口座からゲーム賞金を払い出す
ようにプログラムされる、付記１に記載のコンピューティングデバイス。
〔付記３〕
ゲーム活動に参加する為の法的資格を認証する為に、生体である利用者の識別情報を合法的な識別情報と照合し；
２つ以上の異なるゲームオペレータの１つ又は複数のオフサイトコンピュータでホストされている賭博活動用に開設された賭博用口座に入金する為に、資金受入機で資金を受け取る
よう、更にプログラムされ、
前記ゲームオペレータは、前記コンピューティングデバイスのオペレータとは異なる合法的エンティティである、付記１に記載のコンピューティングデバイス。
〔付記４〕
前記生体センサはカメラであり、
前記生体データは、前記カメラで撮影された前記利用者の顔のデジタル画像である、付記１に記載のコンピューティングデバイス。
〔付記５〕
前記１つ又は複数のマイクロプロセッサは、前記利用者の身元を、少なくとも一部は顔認証及び参照写真と前記デジタル画像との比較に基づいて照合するよう、更にプログラムされる、付記５に記載のコンピューティングデバイス。
〔付記６〕
前記１つ又は複数のマイクロプロセッサは、前記利用者の身元を、少なくとも一部は前記利用者の顔の前記デジタル画像及びデジタル識別データの少なくとも一部に応答してオフサイト検証局から受信した照合に基づいて照合するよう、更にプログラムされる、付記５に記載のコンピューティングデバイス。
〔付記７〕
前記生体センサは署名パッドであり、
前記生体データは前記利用者の署名のデジタル表現である、付記１に記載のコンピューティングデバイス。
〔付記８〕
前記１つ又は複数のマイクロプロセッサは、前記利用者の身元を、少なくとも一部は前記利用者の金融口座に関する情報に基づいて照合するよう、更にプログラムされる、付記１に記載のコンピューティングデバイス。
〔付記９〕
前記１つ又は複数のマイクロプロセッサは、前記利用者の身元を、少なくとも一部は前記コンピューティングデバイスに取り付けられたマイクロプロセッサ内の参照データに対する前記生体データの分析に基づいて照合するよう、更にプログラムされる、付記１に記載のコンピューティングデバイス。
〔付記１０〕
前記１つ又は複数のマイクロプロセッサは、前記利用者の身元を、少なくとも一部は前記生体データをオフサイト検証局に伝送することによって照合するよう、更にプログラムされる、付記１に記載のコンピューティングデバイス。
〔付記１１〕
貨幣受入支払機を更に備える、付記１に記載のコンピューティングデバイス。
〔付記１２〕
クレジットカード、デビットカード、ストアドバリューカード又はＡＴＭカード用の受入機を更に備える、付記１に記載のコンピューティングデバイス。
〔付記１３〕
前記識別情報受入機は、政府発行の運転免許証、パスポート又はＩＤカードを受け取ってスキャンするように設計される、付記１に記載のコンピューティングデバイス。
〔付記１４〕
前記１つ又は複数のマイクロプロセッサは、リモートコンピュータが保持する利用者賭博用口座でゲーム活動を実施するよう、更にプログラムされる、付記１に記載のコンピューティングデバイス。
〔付記１５〕
利用者がゲームをする為のコンピューティングデバイスであって：
人である利用者と対話する場所に設置できるよう相互接続された、プロセッサ、入出力装置及び資金受入機を備え；
１つ又は複数の前記入出力装置は、人である利用者からの登録／ログイン情報及びゲームコマンドを受け取って、前記人である利用者に対話型ゲームをする為の情報を提示するように設計され；
前記資金受入機は、ゲームをする為の資金を受け取るように設計され；
前記１つ又は複数のマイクロプロセッサは：
前記１つ又は複数の入出力装置を使用して、人である利用者に対して、前記利用者の身元を登録及び照合するようにとの指示等の指示を提示し；
オフサイトコンピュータで管理されている賭博用口座に入金する為に前記資金受入機で資金を受け取り；
照合及び貨幣の受け取りに基づいて、前記賭博用口座から照合済みの前記利用者にゲーム活動を提供し；
貨幣支払機で前記賭博用口座からゲーム賞金を払い出す
ようにプログラムされる、コンピューティングデバイス。
〔付記１６〕
身元確認書類を受け取って、前記身元確認書類から識別情報をスキャンして、ネットワーク経由で伝送する為のデジタル形式に変換するように設計された、識別情報受入機；
利用者を示す生体データを前記コンピューティングデバイスにおいて取得して通信ネットワーク経由で伝送する為のデジタル形式に変換するよう適合された、生体センサ
を更に備え、
前記１つ又は複数のマイクロプロセッサは更に：
前記１つ又は複数の入出力装置を使用して、人である利用者に対して、身元確認書類を前記識別情報受入機に挿入するようにとの指示等の指示を提示し；
前記識別情報受入機から前記人である利用者の識別情報のデジタル形式を取得し；
生体データから人である利用者の生体特徴を示す生体データを取得し；
少なくとも一部はデジタル形式の前記利用者の前記識別情報及び前記生体データに基づいて、前記利用者の身元及びゲームに対する前記利用者の適合性を照合し、前記照合に基づいて、照合済み利用者にゲーム活動を提供する
ようにプログラムされる、付記１５に記載のコンピューティングデバイス。
〔付記１７〕
ゲーム活動に参加する為の法的資格を認証する為に、生体である利用者の識別情報を合法的な識別情報と照合し；
２つ以上の異なるゲームオペレータの１つ又は複数のオフサイトコンピュータでホストされている賭博活動用に開設された賭博用口座に入金する為に、資金受入機で資金を受け取る
よう、更にプログラムされ、
前記ゲームオペレータは、前記コンピューティングデバイスのオペレータとは異なる合法的エンティティである、付記１５に記載のコンピューティングデバイス。
〔付記１８〕
クレジットカード、デビットカード、ストアドバリューカード又はＡＴＭカード、デジタル貨幣又はゲームポイント用の受入機を更に備える、付記１５に記載のコンピューティングデバイス。
〔付記１９〕
プロセッサ及びメモリを有するコンピューティングデバイスの出力装置によって、１つ又は複数の入出力装置を使用して、人である利用者に対して、利用者の身元を登録及び照合するようにとの指示等の指示を提示するステップ；
コンピューティングデバイスの１つ又は複数の入出力装置において、人である利用者から登録及び識別情報を受け取るステップ；
ゲーム活動に参加する為の法的資格を認証する為に、生体である利用者の識別情報を合法的な識別情報と照合するステップ；
２つ以上の異なるゲームオペレータの１つ又は複数のオフサイトコンピュータでホストされている賭博活動用に開設された賭博用口座に入金する為に、資金受入機で資金を受け取るステップ
を含む、方法であって、
前記ゲームオペレータは、コンピューティングデバイスのオペレータとは異なる合法的エンティティである、方法。
〔付記２０〕
前記コンピューティングデバイスは：
政府発行の身元確認書類を受け取って、前記身元確認書類から識別情報をスキャンして、ネットワーク経由で伝送する為のデジタル形式に変換するように設計された、識別情報受入機；
人である利用者を示す生体データを取得して通信ネットワーク経由で伝送する為のデジタル形式に変換するよう設計及び適合された、生体センサ；
人である利用者からの登録／ログイン情報及びゲームコマンドを受け取って、人である利用者に対話型ゲームをする為の情報を提示するように設計された、１つ又は複数の入出力装置
を更に備え、
１つ又は複数のマイクロプロセッサは：
前記１つ又は複数の入出力装置を使用して、人である利用者に対して、身元確認書類を前記識別情報受入機に挿入するようにとの指示等の指示を提示し；
前記識別情報受入機から前記利用者の識別情報のデジタル形式を取得し；
前記生体センサから前記利用者の生体特徴を示す生体データを取得し；
少なくとも一部はデジタル形式の前記利用者の前記識別情報及び前記生体データに基づいて、前記利用者の身元及びゲームに対する前記利用者の適合性を照合し、前記照合に基づいて、照合済み利用者にゲーム活動を提供する
ようにプログラムされる、付記１９に記載の方法。
〔付記２１〕
前記コンピューティングデバイスは：
人である利用者からの登録／ログイン情報及びゲームコマンドを受け取って、人である利用者に対話型ゲームをする為の情報を提示するように設計された、１つ又は複数の入出力装置
を更に備え、
１つ又は複数のマイクロプロセッサは：
前記１つ又は複数の入出力装置を使用して、人である利用者に対して、前記利用者の身元を登録及び照合するようにとの指示等の指示を提示し；
オフサイトコンピュータで管理されている賭博用口座に入金する為に前記資金受入機で資金を受け取り；
照合及び貨幣の受け取りに基づいて、前記賭博用口座から照合済みの前記利用者にゲーム活動を提供し；
貨幣支払機で前記賭博用口座からゲーム賞金を払い出す
ようにプログラムされる、付記１９に記載の方法。
〔付記２２〕
利用者がゲームをする為のコンピューティングデバイスであって：
プロセッサ、メモリ、少なくとも１つの識別情報受入機、少なくとも１つの生体センサ、入出力装置、資金受入機及び少なくとも１つのネットワークコネクタを有し、人である利用者と対話する場所に設置できるように設計された、コンピューティングデバイスを備え；
前記識別情報受入機は、政府発行の身元確認書類を受け取って、前記身元確認書類から識別情報をスキャンして、ネットワーク経由で伝送する為のデジタル形式に変換するように設計され；
前記生体センサは、人である利用者を示す生体データを取得して通信ネットワーク経由で伝送する為のデジタル形式に変換するよう設計及び適合され；
前記１つ又は複数の入出力装置は、人である利用者からの登録／ログイン情報及びゲームコマンドを受け取って、利用者に対話型ゲームをする為の情報を提示するように設計され；
前記資金受入機は、ゲームをする為の資金を受け取るよう設計され；
前記１つ又は複数のマイクロプロセッサは：
コンピューティングデバイスの出力装置において、前記１つ又は複数の入出力装置を使用して、人である利用者に対して、身元確認書類を前記識別情報受入機に挿入するようにとの指示等の指示を提示し；
前記識別情報受入機から前記利用者の識別情報のデジタル形式を取得し；
前記生体センサから前記利用者の生体特徴を示す生体データを取得し；
少なくとも一部はデジタル形式の前記利用者の前記識別情報及び前記生体データに基づいて、前記利用者の身元及びゲームに対する前記利用者の適合性を照合し；
オフサイトコンピュータで管理されている賭博用口座に入金する為に前記資金受入機で資金を受け取り；
ゲーム活動に参加する為の法的資格を認証する為に、生体である利用者の識別情報を合法的な識別情報と照合し、また少なくとも一部はデジタル形式の前記利用者の前記識別情報及び前記生体データに基づいて、前記利用者の身元及びゲームに対する前記利用者の適合性を照合し；
前記照合及び貨幣の受け取りに基づいて、前記賭博用口座から照合済みの前記利用者にゲーム活動を提供し；
前記貨幣支払機で前記賭博用口座からゲーム賞金を払い出す
ようにプログラムされる、コンピューティングデバイス。